(57)【要約】      （修正有）【課題】冷蔵室ドアのポケット部に対し出入可能な収納手段を具えたもので、その収納手段内に異物が入ってしまうことがなく、しかも、その収納手段の使い勝手が良い冷蔵庫を提供する。【解決手段】冷蔵室ドア２のポケット部４に対して出入可能な小物ケース９（収納手段）を具え、その小物ケース９が、容器９ａと、この容器９ａの出入口を回動により開閉する蓋９ｂとを有し、その蓋９ｂが、小物ケース９をポケット部４に収納した状態で、該ポケット部４の囲い壁４ａの上縁部４ａ１よりも上方に位置するようにした。【選択図】図１
2014134327.tif 000002
【特許請求の範囲】
【請求項１】
冷蔵室ドアのポケット部に対し出入可能な収納手段を具え、
前記収納手段は、容器と、この容器の出入口を回動により開閉する蓋とを有し、
その蓋が、前記収納手段を前記ポケット部に収納した状態で、該ポケット部の囲い壁の上縁部よりも上方に位置することを特徴とする冷蔵庫。
【請求項２】
収納手段が出入可能なポケット部は、囲い壁の高さを複数に異ならせて有し、そのうち最も高い囲い壁の上縁部よりも、蓋が上方に位置することを特徴とする請求項１記載の冷蔵庫。
【請求項３】
蓋は、庫内方向の最大突出長となる回動位置に存するときに、庫内の棚とは離間することを特徴とする請求項１又は２記載の冷蔵庫。
【請求項４】
容器は、出入口を上面部から前面部にかけて有することを特徴とする請求項１から３のいずれか一項記載の冷蔵庫。
【請求項５】
蓋を容器に閉鎖状態に拘束する閉鎖拘束手段を有することを特徴とする請求項１から４のいずれか一項記載の冷蔵庫。
【請求項６】
収納手段は、取手を有することを特徴とする請求項１から５のいずれか一項記載の冷蔵庫。
【請求項７】
取手は回動可能であり、この取手が庫内方向の最大突出長となる回動位置に存するときに、庫内の棚とは離間することを特徴とする請求項６記載の冷蔵庫。
【請求項８】
取手は回動可能であり、この取手が、収納手段をポケット部に前後を逆にして収納した状態で、庫内方向の最大突出長となる回動位置に存するときに、庫内の棚とは離間することを特徴とする請求項６又は７記載の冷蔵庫。
【請求項９】
取手は、蓋を開放状態に保持する開放保持手段を有することを特徴とする請求項６から８のいずれか一項記載の冷蔵庫。
【請求項１０】
取手は回動可能であり、この取手が庫内方向の最大突出長となる回動位置に存するときに庫内の棚と干渉するものであって、該取手の回動角度をその庫内の棚と干渉しない角度に規制する角度規制手段を有することを特徴とする請求項６から９のいずれか一項記載の冷蔵庫。
【請求項１１】
取手は回動可能であり、この取手が庫内方向とは反対の方向の最大突出長となる回動位置に存するときの、該取手と容器との前後方向の総寸法よりも、収納手段が出入可能なポケット部の囲い壁と冷蔵室ドアの内面部との間の寸法が大きいことを特徴とする請求項６から１０のいずれか一項記載の冷蔵庫。
【発明の詳細な説明】
【技術分野】
【０００１】
本発明の実施形態は冷蔵庫に関する。
【背景技術】
【０００２】
従来より、冷蔵庫においては、冷蔵室ドアの裏側（庫内側）にポケット部を有しており、このポケット部に比較的小さな貯蔵品や細長い貯蔵品を収納できるようになっている。
しかしながら、そのポケット部に収納した貯蔵品は、それらを一つ一つ出し入れするしかないものであり、使い勝手が良くなかった。
それに対して、近年、上記ポケット部に小物ケースを出入可能に設置する考えがある（例えば特許文献１参照）。このものによれば、その小物ケースに幾つかの貯蔵品を収納することにより、それらの貯蔵品をまとめて出し入れすることができ、使い勝手を良くすることができる。
【先行技術文献】
【特許文献】
【０００３】
【特許文献１】特開２０１０−４８４３５号公報
【発明の概要】
【発明が解決しようとする課題】
【０００４】
しかしながら、上述の小物ケースを設けたものでも、その小物ケース自体は蓋を有さないものであり、そのために、小物ケースには、こぼしたジュースなど異物が入ってしまうという問題点を有していた。
【０００５】
そこで、冷蔵室ドアのポケット部に対し出入可能な収納手段を具えたもので、その収納手段内に異物が入ってしまうことがなく、しかも、その収納手段自体の使い勝手が良い冷蔵庫を提供する。
【課題を解決するための手段】
【０００６】
本実施形態の冷蔵庫は、冷蔵室ドアのポケット部に対し出入可能な収納手段を具え、前記収納手段は、容器と、この容器の出入口を回動により開閉する蓋とを有し、その蓋が、前記収納手段を前記ポケット部に収納した状態で、該ポケット部の囲い壁の上縁部よりも上方に位置することを特徴とする。
【図面の簡単な説明】
【０００７】
【図１】第１の実施形態を示す主要部分の縦断側面図
【図２】冷蔵室ドア単体での斜視図
【図３】小物ケース（収納手段）の分解斜視図
【図４】小物ケースの平面図
【図５】図７のV部分の拡大図
【図６】小物ケースの蓋枢支部分の後方からの拡大斜視図
【図７】小物ケースの縦断側面図
【図８】図７のVIII部分の拡大図
【図９】小物ケースの縦断正面図
【図１０】小物ケースの外観斜視図
【図１１】小物ケースの取手枢支部分の拡大分解斜視図
【図１２】取手の状態が異なる小物ケースの外観斜視図
【図１３】蓋の状態が異なる小物ケースの外観斜視図
【図１４】図１３のXIV部分の拡大図
【図１５】小物ケースの向きが異なる主要部分の縦断側面図
【図１６】寸法の見方が異なる図１相当図
【図１７】第２の実施形態を示す図１相当図
【図１８】第３の実施形態を示す図２相当図
【発明を実施するための形態】
【０００８】
以下、第１の実施形態につき、図１から図１６を参照して説明する。
まず、図１には、冷蔵庫の本体１と冷蔵室ドア２とを示しており、本体１は庫内である内部に冷蔵室３を有し、この冷蔵室３の出入口である前面の開放口を冷蔵室ドア２が回動によって開閉するようになっている。
【０００９】
冷蔵室ドア２は、庫内側である裏側にポケット部４を有しており、このポケット部４のほか、冷蔵室ドア２の裏側には図２に示すポケット部５〜８を有している。これらのポケット部４〜８は、冷蔵室ドア２の内面部２ａ側とは反対の側、すなわち庫内側を囲い壁４ａ〜８ａで囲い、それとそれぞれの底壁（図１にポケット部４の底壁４ｂのみ図示）とで形成している。
【００１０】
そして、図１及び図２には、ポケット部４に出入可能に収納した収納手段である小物ケース９を示しており、この小物ケース９は、容器９ａと蓋９ｂ及び取手９ｃから成っている。そのうちの容器９ａは、図３に示すように、直方体状を成し、その上面部から前面部にかけて出入口１０を有している。
【００１１】
蓋９ｂは、上記容器９ａの出入口１０を開閉するもので、その出入口１０の形態に合わせて、図４に示すように平面四角形で、且つ図３に示すように前下がりの湾曲状を成しておリ、後縁部に被支持部１１を左右に分けて２つずつ一体に有している。被支持部１１は、図５に示すように、Ｕ字状を成しており、それに対して、容器９ａには、出入口１０の後縁部に蓋支持部である軸１２を図４及び図６に示すように左右に分けて２つずつ一体に有している。軸１２には被支持部１１を図４から図６に示すように掛け、それによって、蓋９ｂを軸１２を中心としての上下回動可能に容器９ａに取付け、その上下の回動により蓋９ｂが容器９ａの出入口１０を開閉するようにしている。
【００１２】
一方、蓋９ｂの前縁部には、図３及び図４のほか、図７及び図８に示すように、前側の中央部一体に手懸部１３を前方へ張り出させて設け、後側の全部に被係合部である爪部１４を設けており、それに対して、容器９ａには、出入口１０の前縁部に係合部である爪部１５を設け、この爪部１５に爪部１４を係合させることによって、蓋９ｂを容器９ａに閉鎖状態に拘束するようになっており、従って、それらの爪部１４，１５は、蓋９ｂを容器９ａに閉鎖状態に拘束する閉鎖拘束手段として機能するようになっている。図４、図７、図９、及び図１０は、この蓋９ｂを容器９ａに閉鎖状態に拘束した状態で、小物ケース９の全体を表している。又、図７及び図９には、容器９ａの外下面部に複数設けた脚部９ａ１を示している。
【００１３】
取手９ｃは、逆Ｕ字形であり、図９及び図１１に示すように、その左右の両基端部の各内側に短円柱形の軸部１６を有し、更にその両軸部１６の各先端部に非円形（この場合、小判形）の被抜け止め部１７を有している。それに対して、容器９ａには、左右の両側面部の各上部に軸承孔１８を形成している。この軸承孔１８は、上記取手９ｃの被抜け止め部１７と対応する形状（この場合、小判形）の孔であり、この軸承孔１８に被抜け止め部１７から軸部１６をそれぞれ外側から内側へ挿入することにより、取手９ｃを軸部１６を中心としての上下回動可能に容器９ａに取付け、その上下の回動により取手９ｃが図１０及び図１２に示すように起伏されるようにしている。
【００１４】
又、軸承孔１８に対する、被抜け止め部１７及び軸部１６の挿入は、図３に示すように、上記取手９ｃの起伏角度範囲中の所定角度α位置で行い、それ以外の位置では被抜け止め部１７が容器９ａの内側面に係止されて抜け止めされるようにしている。
【００１５】
加えて、取手９ｃには、図９、図１２、図１３及び図１４に示すように、左右の両側部の各中間部に突起１９を設けており、図１３及び図１４に示すように、取手９ｃを起立させた位置で、蓋９ｂを該突起１９を越える位置まで開放させてその戻りを突起１９で制止するように、該突起１９に蓋９ｂを係止させることにより、蓋９ｂを開放状態に保持するようにしており（図１にも二点鎖線で示す）、このようにして、取手９ｃの突起１９が蓋９ｂを開放状態に保持する開放保持手段として機能するようにしている。
【００１６】
以上の小物ケース９は、前記ポケット部４に収納した状態では、図１に示すように、蓋９ｂがポケット部４の囲い壁４ａの上縁部４ａ１よりも上方に位置する大きさを有している。又、図２に示したポケット部６は、ポケット部４と同様に小物ケース９の出し入れが可能なもので、且つ、このポケット部６は、囲い壁６ａの高さを右側部６ａ１と左側部６ａ２とで異ならせて有し、そのうちの低い方の右側部６ａ１の高さはポケット部４の囲い壁４ａより低くしているが、高い方の左側部６ａ２の高さはポケット部４の囲い壁４ａの高さと同等にしている。すなわち、それらのポケット部４，６は、囲い壁４ａ，６ａの高さを複数に異ならせて有するものであり、そのうち最も高い、囲い壁４ａと囲い壁６ａの左側部６ａ２の上縁部よりも、蓋９ｂが上方に位置するようにしている。
【００１７】
又、小物ケース９の容器９ａは、ポケット部４，６、中でもそれらの周壁部である冷蔵室ドア２の内面部及び囲い壁４ａ，６ａに対して、それらを傷つけることのないように、それらよりも柔軟な材質で形成している。
更に、図１に二点鎖線で示すように、小物ケース９の蓋９ｂは、庫内方向の最大突出長となるほゞ水平の回動位置に存するときに、庫内にある貯蔵品載置用の棚２０とは距離Ｇ１だけ離間するようにしている。又、取手９ｃについても、図１に二点鎖線で示すように、該取手９ｃが庫内方向の最大突出長となるほゞ水平の回動位置に存するときに、庫内の棚２０とは距離Ｇ２だけ離間するようにしている。
【００１８】
加えて、図１５に示すように、小物ケース９をポケット部４，６（図１５ではポケット部４）に前後を逆にして収納した状態でも、取手９ｃは、庫内方向の最大突出長となるほゞ水平の回動位置に存するとき（二点鎖線参照）に、庫内の棚２０とは距離Ｇ３だけ離間するようにしている。
又、図１６に二点鎖線で示すように、取手９ｃが庫内方向とは反対の方向（冷蔵室ドア２の内面部２ａ側）の最大突出長となるほゞ水平の回動位置に存するときの、該取手９ｃと容器９ａとの前後方向の総寸法Ｌ１よりも、ポケット部４，６（図１６ではポケット部４）の囲い壁４ａ，６ａと冷蔵室ドア２の内面部２ａとの間の寸法（奥行）Ｌ２を大きくしている。
【００１９】
以上のように、本実施形態の冷蔵庫においては、冷蔵室ドア２のポケット部４，６に対して出入可能な収納手段としての小物ケース９を具え、その小物ケース９が、容器９ａと、この容器９ａの出入口１０を回動により開閉する蓋９ｂとを有し、その蓋９ｂが、図１に示したように、小物ケース９をポケット部４，６に収納した状態で、該ポケット部４，６の囲い壁４ａ，６ａの上縁部よりも上方に位置するようにしている。
【００２０】
これにより、基本的には、小物ケース９に幾つかの貯蔵品を収納することにより、それらの貯蔵品をまとめて出し入れすることができ、冷蔵庫としての使い勝手を良くすることができる。又、容器９ａの出入口１０を蓋９ｂにより閉鎖していれば、こぼしたジュースなど異物が入ってしまうことも回避することができる。そして、小物ケース９をポケット部４，６に収納した状態で、該ポケット部４，６の囲い壁４ａ，６ａの上縁部よりも上方に位置するようにした蓋９ｂは、小物ケース９をポケット部４，６に収納したままで、囲い壁４ａ，６ａに邪魔されることなく、開閉することができるものであり、貯蔵品を出し入れする場合など、小物ケース９自体の使い勝手をも良くすることができる。
【００２１】
併せて、本実施形態の冷蔵庫においては、図２に示したように、小物ケース９の出入可能なポケット部４，６が、囲い壁４ａ，６ａの高さを複数に異ならせて有し、そのうち最も高い、囲い壁４ａと囲い壁６ａの左側部６ａ２の上縁部よりも、蓋９ｂが上方に位置するようにしている。これにより、ポケット部４，６のいずれにおいても、それらに小物ケース９を収納して囲い壁４ａ，６ａに邪魔されることなく、蓋９ｂを開閉できるなど、問題なく使用できるものであり、小物ケース９の使い勝手を一層良くすることができる。
【００２２】
更に、本実施形態の冷蔵庫においては、図１に二点鎖線で示したように、蓋９ｂが、庫内方向の最大突出長となる回動位置に存するときに、庫内の棚２０とは離間するようにしており、これによって、小物ケース９をポケット部４，６に収納した状態で、蓋９ｂを庫内の棚２０に邪魔されることなく開閉できるものであり、やはり小物ケース９の使い勝手を一層良くすることができる。
【００２３】
又、本実施形態の冷蔵庫においては、図３に示したように、容器９ａが、出入口１０を上面部から前面部にかけて有するようにしており、それによって、容器９ａに対する貯蔵品の出し入れをしやすくすることができ、やはり小物ケース９の使い勝手を一層良くすることができる。
そのほか、本実施形態の冷蔵庫においては、図７及び図８に示したように、蓋９ｂを容器９ａに閉鎖状態に拘束する閉鎖拘束手段として、蓋９ｂに爪部１４を設け、容器９ａに爪部１５を設けている。これにより、容器９ａからの貯蔵品の飛び出し、脱絡を防止することができ、やはり小物ケース９の使い勝手を一層良くすることができる。
【００２４】
又、小物ケース９が取手９ｃを有するようにもしており、それによって、小物ケース９の、ポケット部４，６に対する出し入れ、持ち運びをしやすくすることができ、やはり小物ケース９の使い勝手を一層良くすることができる。
更に、取手９ｃを回動可能とし、図１に二点鎖線で示したように、この取手９ｃが庫内方向の最大突出長となる回動位置に存するときに、庫内の棚とは離間するようにしている。これにより、小物ケース９をポケット部４，６に収納した状態で、取手９ｃを庫内の棚２０に邪魔されることなく起伏させることができるものであり、やはり小物ケース９の使い勝手を一層良くすることができる。
【００２５】
加えて、回動可能な取手９ｃが、図１５に示したように、小物ケース９をポケット部４，５に前後を逆にして収納した状態で、庫内方向の最大突出長となる回動位置に存するときに、庫内の棚２０とは離間するようにもしており、それによって、小物ケース９をポケット部４，５に前後を逆にして収納した状態でも、取手９ｃを庫内の棚２０に邪魔されることなく起伏させることができるものであり、やはり小物ケース９の使い勝手を一層良くすることができる。
【００２６】
又、取手９ｃが、蓋９ｂを開放状態に保持する開放保持手段として、図９、図１２、図１３及び図１４に示した突起１９を有するようにもしており、それによって、蓋９ｂを開放状態に保持して、容器９ａに対する貯蔵品の出し入れができるものであり、やはり小物ケース９の使い勝手を一層良くすることができる。
【００２７】
更に、図１６に二点鎖線で示したように、回動可能な取手９ｃが庫内方向とは反対の方向の最大突出長となる回動位置に存するときの、該取手９ｃと容器９ａとの前後方向の総寸法Ｌ１よりも、ポケット部４，６の囲い壁４ａ，６ａと冷蔵室ドア２の内面部２ａとの間の寸法Ｌ２を大きくしている。これにより、小物ケース９をポケット部４，６に収納した状態で、取手９ｃを冷蔵室ドア２の内面部２ａに邪魔されることなく起伏させることができるものであり、やはり小物ケース９の使い勝手を一層良くすることができる。
【００２８】
以上に対して、図１７及び図１８は第２及び第３の実施形態を示すもので、それぞれ、第１の実施形態と同一の部分には同一の符号を付して説明を省略し、異なる部分についてのみ述べる。
【００２９】
［第２の実施形態］
図１７に示す第２の実施形態においては、回動可能な取手９ｃが、庫内方向の最大突出長となる回動位置に存するとき（二点鎖線参照）に庫内の棚２０と、重なり寸法ｌで示すように、干渉するものであって、該取手９ｃの回動角度をその庫内の棚２０と干渉しない角度（例えば二点鎖線で示すほゞ垂直までの角度）に規制する角度規制手段として、突起３１を容器９ａの外側面に設けており、取手９ｃがその突起３１に係止されて上記角度に規制されるようにしている。これにより、回動可能な取手９ｃが、庫内方向の最大突出長となる回動位置に存するときに庫内の棚２０と干渉するものであっても、取手９ｃを庫内の棚２０に邪魔されることなく使用することができるものであり、やはり小物ケース９の使い勝手を一層良くすることができる。
【００３０】
［第３の実施形態］
図１８に示す第３の実施形態においては、冷蔵室ドア４１が第１の実施形態の冷蔵室ドア２と異なっている。第１の実施形態の冷蔵室ドア２は、冷蔵室３の前面の開放口を一枚で開閉するものであり、それに対して、この第３の実施形態の冷蔵室ドア４１は、冷蔵室３の前面の開放口を左右二枚で観音開き式に開閉するうちの一枚であり、第１の実施形態の冷蔵室ドア２より幅狭なものである。この冷蔵室ドア４１も、庫内側である裏側にポケット部４２〜４４を有しており、そのうちのポケット部４２，４３に小物ケース９を出入可能に収納するようにして、そのほか第１の実施形態と同様に設けている。
従って、このものでも、第１の実施形態と同様の作用効果を得ることができる。
【００３１】
以上説明した冷蔵庫は、上記実施形態にのみ限定されるものではなく、要旨を逸脱しない範囲内で適宜変更して実施し得る。
そのほか、本発明の複数の実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００３２】
図面中、２は冷蔵室ドア、４，６はポケット部、９は小物ケース（収納手段）、９ａは容器、９ｂは蓋、９ｃは取手、１０は出入口、１２は軸、１４，１５は爪部（閉鎖拘束手段）、１６は軸部、１９は突起（開放保持手段）、２０は棚、４１は冷蔵室ドア、４２，４３はポケット部、Ｇ１は蓋と棚との距離、Ｇ２，Ｇ３は取手と棚との距離、Ｌ１は取手と容器との前後方向の総寸法、Ｌ２はポケット部の囲い壁と冷蔵室ドアの内面部との間の寸法を示す。
【図１】
2014134327.tif 000003
【図２】
2014134327.tif 000004
【図３】
2014134327.tif 000005
【図４】
2014134327.tif 000006
【図５】
2014134327.tif 000007
【図６】
2014134327.tif 000008
【図７】
2014134327.tif 000009
【図８】
2014134327.tif 000010
【図９】
2014134327.tif 000011
【図１０】
2014134327.tif 000012
【図１１】
2014134327.tif 000013
【図１２】
2014134327.tif 000014
【図１３】
2014134327.tif 000015
【図１４】
2014134327.tif 000016
【図１５】
2014134327.tif 000017
【図１６】
2014134327.tif 000018
【図１７】
2014134327.tif 000019
【図１８】
2014134327.tif 000020